(57)【要約】本発明は、使用者の多様な人体の体形によってテーブル上面の高低を簡便に調節できる高低調節可能な改良されたテーブルに関するものである。本発明は、上記テーブル上面に連結される第１脚部、上記第１脚部に嵌められるか、上記第１脚部が嵌められて長手方向に収縮及び延長可能で、上記テーブル上面が水平を維持するように支持するための第２脚部及び上記第１脚部と上記第２脚部の中の１つの端部から突出して他の１つの内部に位置する多数の固定棒からなる。本発明は、作動レバーの簡単な操作により伸縮及び引張可能な脚を掛止または解除できるようにして、使用者の体形に従うテーブル上面の高低を簡便に調節できる高低調節可能テーブルを提供する。このような構造により、家庭、会社、及び学校などに使用しているテーブルに適用して使われることができる。
2008531176.tif 000002
【特許請求の範囲】
【請求項１】
テーブル上面と、
前記テーブル上面に連結される第１脚部、前記第１脚部に嵌められるか、前記第１脚部が嵌められて長手方向に収縮及び延長が可能であり、前記テーブル上面が水平を維持するように支持するための第２脚部及び前記第１脚部と前記第２脚部の中の１つの端部から突出して他の１つの内部に位置する多数の固定棒からなり、各々の前記固定棒の外周面には多数の固定溝が長手方向に沿って連続して提供され、前記固定溝に相応した位置の前記第１脚部と前記第２脚部の中の１つに第１案内孔が提供される脚部材と、
前記第１脚部と第２脚部の中の１つを通過させて固定できるように設置孔が垂直に提供され、その設置孔の隣接位置に少なくとも１つの面が開放された作動室が提供され、前記設置孔と作動室との間の仕切りに第２案内孔が提供される掛止具胴体、前記掛止具胴体の第２案内孔に一部がスライディング可能に嵌められる固定具、及び前記掛止具胴体の作動室の両側壁に回動可能に設置されて前記固定具を押すとか停止させるための作動レバーからなる掛止部材を含んでなり、
前記テーブル上面の高低を調節するために、前記作動レバーを一側方向に回動させれば、前記固定具は前記固定棒の固定溝から後進可能になって、前記脚部材の長さを可変自在にすることができ、前記作動レバーを他側方向に回動させれば、前記固定具は前記固定棒の固定溝に嵌められて動かないように固定されて、前記脚部材の長さを不変させることができるようになることを特徴とする高低調節可能テーブル。
【請求項２】
前記作動室の内壁には少なくとも１つ以上の間隔維持凸部が形成されたことを特徴とする請求項１記載の高低調節可能テーブル。
【請求項３】
前記作動レバーの一側面には少なくとも１つ以上の押え凸部が提供されることを特徴とする請求項１記載の高低調節可能テーブル。
【請求項４】
前記仕切りの第２案内孔の周りには前記固定具がスライディング可能に嵌められるように案内室を有する案内凸部が前記作動室に向けて突出することを特徴とする請求項１記載の高低調節可能テーブル。
【請求項５】
前記固定具の一端には固定プランジが提供されて、前記固定具が前記案内凸部の案内室から前記設置孔の方向にこれ以上前進することを防止させることを特徴とする請求項４記載の高低調節可能テーブル。
【請求項６】
前記固定具の一端には設置溝が提供され、前記設置溝には弾性力を提供するための圧縮スプリングが提供され、前記圧縮スプリングの隣接位置には前記設置溝の入口に嵌められて前記圧縮スプリングを押さえ、前記作動レバーにより押えられる押え具が提供されることを特徴とする請求項４記載の高低調節可能テーブル。
【請求項７】
前記押え具は、前記設置溝に嵌められる押え棒と、前記押え棒の一端に一体形成される押え板とを含むことを特徴とする請求項６記載の高低調節可能テーブル。
【請求項８】
前記掛止具胴体の設置孔と前記押え具の押え棒との間には前記固定具の設置溝に貫通されて前記固定具の進行を案内するための固定具案内軸が更に含まれることを特徴とする請求項６記載の高低調節可能テーブル。
【発明の詳細な説明】
【発明の詳細な説明】
【０００１】
〔技術分野〕
本発明は、高低調節可能テーブルに関し、より詳しくは、作動レバーの単純な回動動作により伸縮及び引張可能な脚を掛止（lock）及び解除（unlock）させるようにして使用者の多様な人体の体形によってテーブル上面の高低を簡便に調節できる高低調節可能な改良されたテーブルに関する。
【０００２】
〔背景技術〕
学校、現代の事務室、及び産業環境は、多様な類型の機能的家具成分を有する作業区域を提供する。これらの家具成分は、製図（drafting）、書記及びワードプロセシング（wordprocessing）機能に至るまで多様な目的で利用される作業面及びテーブル上面が含まれる。したがって、これら表面はタイプライタ（typewriters）及びコンピュータ端末機（terminals）のような多様な設備を支持できるようにしなければならない。また、これらの表面は多様な仕事と多様な使用者が容易に便宜を図ることができるように、垂直に調節できなければならない。これに対してはテーブルの支持台に提供される踏み台も同様であるが、多様な使用者が便利に利用できるように踏み台の高低を調節できなければならない。
【０００３】
特に、このようなテーブルは、小学校や中、高校及び大学の学生に一層深刻な実状である。即ち、同じ教室で授業を受ける同級生の場合でも個人間の身体条件は相当な差がある。しかしながら、このような校具用テーブルは多数の学生達の平均的な身体条件を勘案して段階別に規格化したサイズで製作されたものが使われている。このため、身体サイズに合わない校具用テーブルを使用する学生達に相当な不便さがあった。
【０００４】
前述した高低調節可能テーブルの１つの類型は１９９４年３月１日付でゾーン（John J. Rizzi）らにより公開された米合衆国特許番号第５，２８９，７８２号には“高低調節可能テーブル”が提案されたことがある。これは、従来技術の一例を示した高低調節可能テーブルを示す図５を参照する。図５に図示したように、従来のテーブル１０はテーブル上面１２と、そのテーブル上面１２に連結される第１脚部１４ａと、その第１脚部１４ａに嵌められて、その第１脚部１４ａが昇降または下降可能に提供される第２脚部１４ｂが備えられる一対の収縮及び延長可能な脚（telescoping legs）１４と、一対の脚の間間に配置され提供される重量手段（図示せず）を含む平衡メカニズム１６と、脚１４の第２脚部１４ｂの下段に提供される一対の支持台１８から構成された。しかしながら、このようなテーブルはテーブル上面の高低を調節するための装置にて、ラック、ピニオン、チェーンなどからなる重量手段が備えられた平衡メカニズム装置（counterbalance mechanism）を利用しなければならなかったので、装置の複雑化により生産性の低下及び大量生産の不適合などの問題があった。その上、テーブルの支持台に備えられた踏み台１９は高低が調節できない構造であるので、多様な体形の使用者に不便を与えた。
【０００５】
〔発明の開示〕
〔発明が解決しようとする課題〕
本発明は、上記のような問題点を解決するためのものであって、本発明の目的は、作動レバーの簡単な操作により伸縮及び引張可能な脚を掛止または解除できるようにして、使用者の体形に従うテーブル上面の高低を簡便に調節できる高低調節可能テーブルを提供することにある。
【０００６】
〔課題を解決するための手段〕
上記の目的を達成するために、本発明は、テーブル上面と、上記テーブル上面に連結される第１脚部、上記第１脚部に嵌められるか、上記第１脚部が嵌められて長手方向に収縮及び延長が可能であり、上記テーブル上面が水平を維持するように支持するための第２脚部及び上記第１脚部と上記第２脚部の中の１つの端部から突出して他の１つの内部に位置する多数の固定棒からなり、各々の上記固定棒の外周面には多数の固定溝が長手方向に沿って連続して提供され、上記固定溝に相応した位置の上記第１脚部と上記第２脚部の中の１つに第１案内孔が提供される脚部材と、上記第１脚部と第２脚部の中の１つを通過させて固定できるように設置孔が垂直に提供され、その設置孔の隣接位置に少なくとも１つの面が開放された作動室が提供され、上記設置孔と作動室との間の仕切りに第２案内孔が提供される掛止具胴体、上記掛止具胴体の第２案内孔に一部がスライディング可能に嵌められる固定具、及び上記掛止具胴体の作動室の両側壁に回動可能に設置されて上記固定具を押すとか停止させるための作動レバーからなる掛止部材を含んでなり、上記テーブル上面の高低を調節するために、上記作動レバーを一側方向に回動させれば、上記固定具は上記固定棒の固定溝から後進可能になって、上記脚部材の長さを可変自在にすることができ、上記作動レバーを他側方向に回動させれば、上記固定具は上記固定棒の固定溝に嵌められて動かないように固定されて上記脚部材の長さを不変させることができるようになることを特徴とする。
【０００７】
望ましくは、上記仕切りの第２案内孔の周りには上記固定具がスライディング可能に嵌められるように案内室を有する案内凸部が上記作動室に向けて突出する。
【０００８】
望ましくは、上記固定具の一端には固定プランジが提供されて、上記固定具が上記案内凸部の案内室から上記設置孔の方向にこれ以上前進することを防止させる。
【０００９】
望ましくは、上記固定具の一端には設置溝が提供され、上記設置溝には弾性力を提供するための圧縮スプリングが提供され、上記圧縮スプリングの隣接位置には上記設置溝の入口に嵌められて上記圧縮スプリングを押さえ、上記作動レバーにより押えられる押え具が提供される。
【００１０】
望ましくは、上記押え具は、上記設置溝に嵌められる押え棒と、上記押え棒の一端に一体形成される押え板とを含む。
【００１１】
望ましくは、上記掛止具胴体の設置孔と上記押え具の押え棒との間には上記固定具の設置溝に貫通されて上記固定具の進行を案内するための固定具の案内軸が更に含まれる。
【００１２】
〔発明の効果〕
以上、前述したように、本発明の望ましい実施形態による高低調節可能テーブルは、作動レバーとその作動レバーの回動動作により前進または後進作動が可能な固定具が第１脚部や第２脚部の中の１つに提供されることで、テーブル上面の高低を調節する場合、簡単な作動レバーの回転動作だけで伸縮及び引張可能な脚を掛止（lock）及び解除（unlock）させるようにすることによって、脚部材の長さを容易に調節できる効果が得られる。
【００１３】
〔発明を実施するための最良の形態〕
以下、添付の図面を参照しつつ本発明の実施形態による高低調節可能テーブルについて詳細に説明する。
【００１４】
図１は、本発明の望ましい実施形態による高低調節可能テーブル全体を示している。図２は、図１において、脚部材及び掛止部材の分解された状態を示している。
【００１５】
図１を参照すれば、本発明の望ましい実施形態による高低調節可能テーブル１００は、テーブル上面１０２、テーブル上面１０２を水平状態に維持させ、引張及び収縮可能に長さが可変される脚部材、及び上記脚部材の長さの引張及び収縮を制御する掛止部材からなる。
【００１６】
脚部材は、テーブル上面１０２に連結される第１脚部１１２、第１脚部１１２に嵌められるか、第１脚部１１２が嵌められて長手方向に収縮及び延長が可能であり、テーブル上面が水平を維持するように支持するための第２脚部１１４及び第１脚部１１２と第２脚部１１４の中の１つの端部から突出して他の１つの内部に位置する多数の固定棒１１６からなり、各々の固定棒１１６の外周面には多数の固定溝１１６ａが長手方向に沿って連続して提供され、固定溝１１６ａと相応した位置の第１脚部１１２と第２脚部１１４の中の１つに第１案内孔１１２ａが提供される。参考に、図１及び図２には、第２脚部１１４が第１脚部１１２に嵌められる構造で図示されている。望ましくは、第１脚部１１２と第２脚部１１４は中空の管形態であるが、これに限定されるのではない。望ましくは、固定棒１１６は中空でない棒形態であるが、これに限定されるのではない。固定溝１１６ａは固定棒１１６の外周面に沿って形成されることが望ましい。
【００１７】
掛止部材１２０は第１脚部１１２と第２脚部１１４の中の１つを通過させて固定できるように設置孔１２２ａが垂直に提供され、その設置孔１２２ａの隣接位置に少なくとも１つの面が開放された作動室が提供され、設置孔１２２ａと作動室１２２ｂとの間の仕切り１２４に第２案内孔１２４ａが提供される掛止具胴体１２２、掛止具胴体１２２の第２案内孔１２４ａに一部がスライディング可能に嵌められる固定具１２６、及び掛止具胴体１２２の作動室１２２ｂの両側壁に回転軸１２２ｃにて回動可能に設置されて固定具１２６を押すとか停止させるための作動レバー１２８からなる掛止部材を含んでなる。設置孔１２２ａの内径は第１脚部１１２や第２脚部１１４の外径と相応するか、より大きく形成されるものが望ましい。掛止具胴体１２２は、第１脚部１１２や第２脚部１１４にスクリューのような締結手段により固定させることが望ましい。固定具１２６はその先端が流線型で形成されることが望ましい。これは固定具１２６が第１脚部１１２の第１案内孔１１２ａと掛止具胴体１２２の第２案内孔１２４ａに容易に嵌められることができるようにしたものである。
【００１８】
仕切り１２４の第２案内孔１２４ａの周りには固定具１２６がスライディング可能に嵌められるように案内室１２４ｃを有する案内凸部１２４ｂが作動室１２２ｂに向けて突出する。
【００１９】
固定具１２６の一端には固定プランジ１２６ａが提供されて、固定具１２６が案内凸部１２４ｂの案内室１２４ｃから設置孔１２２ａの方向にこれ以上前進することを防止させる。
【００２０】
固定具１２６の一端には設置溝１２６ｂが提供され、設置溝１２６ｂには弾性力を提供するための圧縮スプリング１３０が提供され、圧縮スプリング１３０の隣接位置には設置溝１２６ｂの入口に嵌められて圧縮スプリング１３０を押さえて作動レバーにより押えられる押え具１３２が提供される。押え具１３２は設置溝１２６ｂに嵌められる押え棒１３２ａと、押え棒１３２ａの一端に一体形成される押え板１３２ｂとを含む。作動レバー１２８の後方壁面には少なくとも１つ以上の押え凸部１２８ａが形成される。その押え凸部１２８ａは押え具１３２の押え板１３２ｂと接触する部分である。参考に、圧縮スプリング１３０の弾性力はテーブル上面１０２の荷重を耐えることができるように設計される。
【００２１】
掛止具胴体１２２の設置孔１２２ａと押え具１３２の押え棒１３２ａとの間には、固定具１２６の設置溝１２６ｂに貫通されて固定具１２６の進行を案内するための固定具案内軸１３４が更に含まれることができる。その固定具案内軸１３４の一端は作動レバー１２８の一側面に回動可能に軸結合される。このために、固定具案内軸１３４の一端には回動輪１３４ａが一体形成されることができる。回動輪１３４ａは回動軸１２２ｃに回動可能に軸結合される。このために、回動輪１３４ａは輪形態で形成されることが望ましいが、これに限定されるのではない。
【００２２】
作動室１２２ｂの内壁には少なくとも１つ以上の間隔維持凸部１２４ａが形成される。その間隔維持凸部１２４ａは、作動レバー１２８が作動室１２２ｂの内壁に接触する部分を最小化させて作動レバー１２８の回動動作を助けるためである。
【００２３】
本発明による高低調節可能テーブルは、テーブル上面１０２の高低を調節するために、作動レバー１２８を一側方向に回動させれば、固定具１２６は固定棒１１６の固定溝１１６ａから後進可能になって、脚部材１１０を長さを可変自在にすることができ、作動レバー１２８を他側方向に回動させれば、固定具１２６は固定棒１１６の固定溝１１６ａに嵌められて動かないように固定されて、上記脚部材の長さを不変させることができる。
【００２４】
以上、前述したように構成された高低調節可能テーブルの作用を添付した図３乃至図８を参照しつつ詳細に説明すれば、次の通りである。
【００２５】
図３と図６を参照すれば、脚部材の第２脚部１１４の上段には固定棒１１６の上部に向かって突出しており、第２脚部１１４の上段に第２脚部１１４の下段の一部が嵌められている。また、第１脚部１１２の外周面には掛止具胴体１２２が嵌められてスクリューのような締結手段により固定された状態である。
【００２６】
特に、作動レバー１２８は、掛止具胴体１２２の作動室１２２ｂ内に垂直に位置している。この際、作動レバー１２８の上部後段部分は押え具１３２の押え板１３２ｂを押さえている。このようになれば、押え具１３２の押え棒１３２ａは圧縮スプリング１３０を押さえて圧縮させると共に、押え具１３２を押すことになる。このようになれば、押え具１３２の流線型先端は、固定棒１１６の固定溝１１６ａに嵌められて密着した状態になる。このようにすることで、脚部材１１０の第１脚部１１２と第２脚部１１４は、現在の状態で動かないで固定された状態になる。
【００２７】
図４と図７を参照すれば、テーブル上面１０２の高低を調節するために、作業者は作動レバー１２８の下段を把持して反時計方向に回動させる。この際、作動レバー１２８の押え凸部１２８ａは押え具１３２から後進する。これによって、押え具１３２は圧縮スプリング１３０の弾性力により押え凸部１２８ａの方向に共に後進する。この状態で、圧縮スプリング１３０の弾性力はテーブル上面１０２の荷重を克服するため、自ずから下降することができない。
【００２８】
この状態で、作業者がテーブル１００の使用者の体形に合うように高めるか低めることになれば、固定具１２６は既存に位置していた固定棒１１６の固定溝１１６ａから離脱されるところ、これは図５と図８に詳細に示している。仮に、作業者がテーブル上面１０２を無理に持って上げることになれば、固定具１２６は圧縮スプリング１３０の弾性力を克服して後進されて、固定棒１１６の固定溝１１６ａから抜け出て固定棒１１６の外周面に位置する。
【００２９】
以後、作業者は必要な位置までテーブル上面１０２を持って上げて前述した固定具１２６が該位置の固定溝１１６ａに嵌められて固定されるようにする。次に、作業者は作動レバー１２８を把持した後、時計方向に回動させる。すると、作動レバー１２８の押え凸部１２８ａは、更に押え具１３２の押え板１３２ｂを押さえて圧縮スプリング１３０が圧縮されるようにする。これと共に、固定具１２６は押え具１３２により動かないように固定される。この状態では、テーブル上面１０２に外力が加えられても下降または上昇できない。ここで、固定具１２６は掛止具胴体１２２に設置された固定具案内軸１３４に沿って遊隔のない円滑な直進作動が可能である。併せて、掛止具胴体１２２の作動室１２２ｂの内壁に提供される間隔維持凸部１２４ａは、作動レバー１２８の両側面が面接触でない線接触可能にして回動作動が円滑に手助けする。
【００３０】
本発明による高低調節可能テーブルは、テーブル上面の高低を調節するために、作動レバーを一側方向に回動させれば、固定具は固定棒の固定溝から後進可能になって脚部材の長さを可変自在にすることができ、作動レバーを他側方向に回動させれば、固定具は固定棒の固定溝に嵌められて動かないように固定されて脚部材の長さを不変させることができる。このような構造により、家庭、会社、及び学校などに使用しているテーブルに適用して使われることができる。
【００３１】
以上、本発明を前述した実施形態を挙げて具体的に説明したが、本発明はこれに限定されず、該技術分野の熟練した当業者は通常の知識の範囲内でその変形や改良が可能である。
【図面の簡単な説明】
【００３２】
【図１】本発明の望ましい実施形態による高低調節可能テーブルの全体斜視図である。
【図２】図１において、脚部材及び掛止部材の分解斜視図である。
【図３】図１のテーブルを正面から見た部分拡大断面図であって、脚の第１脚部がロッキング（locking）された状態の図である。
【図４】図１のテーブルを正面から見た部分拡大断面図であって、脚の第１脚部がアンロッキング（unlocking）された状態の図である。
【図５】図１のテーブルを正面から見た部分拡大断面図であって、脚が伸縮及び延長可能な状態の図である。
【図６】図１のテーブルを上から見下ろした縦断面図であって、脚の第１脚部がロッキングされた状態の図である。
【図７】図１のテーブルを上から見下ろした縦断面図であって、脚の第１脚部がアンロッキングされた状態の図である。
【図８】図１のテーブルを上から見下ろした縦断面図であって、脚が伸縮及び延長可能な図である。
【図９】従来技術の一例を示す高低調節可能テーブルの斜視図である。
【図１】
2008531176.tif 000003
【図２】
2008531176.tif 000004
【図３】
2008531176.tif 000005
【図４】
2008531176.tif 000006
【図５】
2008531176.tif 000007
【図６】
2008531176.tif 000008
【図７】
2008531176.tif 000009
【図８】
2008531176.tif 000010
【図９】
2008531176.tif 000011
【国際調査報告】
2008531176.tif 000012
2008531176.tif 000013